(57)【要約】【課題】ヒータの運転制御を行う空気調和機に関して、更なる省エネを実現すること。【解決手段】記憶部は、第１閾値及び第２閾値を示す閾値データを記憶する。ヒータ制御判定部は、記憶部から閾値データを読みだし、外気温度が第１閾値以下の場合にヒータの制御を有効化し、外気温度が第２閾値以上の場合にヒータの制御を無効化する。ヒータ運転制御部は、ヒータの制御が無効化されている場合、ヒータの運転を常時ＯＦＦし、ヒータの制御が有効化されている場合、室内温度と設定温度との関係に基づいてヒータの運転をＯＮ／ＯＦＦ制御する。受信部は、ユーザによって入力される、第１閾値及び第２閾値の少なくとも一方を指定する閾値指定信号を受け取る。閾値設定部は、受け取った閾値指定信号による指定に基づいて、記憶部に記憶される閾値データを設定する。【選択図】図１
2015152217.tif 000002
【特許請求の範囲】
【請求項１】
室内機と、
外気温度を検出する室外機と、
前記室内機に搭載され、前記室内機と共に室内のヒータの運転制御を行う制御装置と
を備え、
前記制御装置は、
第１閾値及び第２閾値を示す閾値データを記憶する記憶部と、
前記記憶部から前記閾値データを読みだし、前記外気温度が前記第１閾値以下の場合に前記ヒータの制御を有効化し、前記外気温度が前記第２閾値以上の場合に前記ヒータの制御を無効化するヒータ制御判定部と、
前記ヒータの制御が無効化されている場合、前記ヒータの運転を常時ＯＦＦし、前記ヒータの制御が有効化されている場合、室内温度と設定温度との関係に基づいて前記ヒータの運転をＯＮ／ＯＦＦ制御するヒータ運転制御部と、
ユーザによって入力される、前記第１閾値及び前記第２閾値の少なくとも一方を指定する閾値指定信号を受け取る受信部と、
前記受け取った閾値指定信号による指定に基づいて、前記記憶部に記憶される前記閾値データを設定する閾値設定部と
を備える
ことを特徴とする空気調和機。
【請求項２】
前記第１閾値は前記第２閾値よりも低い
ことを特徴とする請求項１に記載の空気調和機。
【請求項３】
前記受け取った閾値指定信号による指定の結果、前記第１閾値が前記第２閾値以上となる場合、前記閾値設定部は、前記第１閾値が前記第２閾値よりも低くなるように前記指定を補正し、補正後の前記指定に従って前記記憶部に記憶される前記閾値データを設定する
ことを特徴とする請求項２に記載の空気調和機。
【請求項４】
前記受け取った閾値指定信号による指定の結果、前記第１閾値が前記第２閾値以上となる場合、前記閾値設定部は、アラームを出力する
ことを特徴とする請求項２に記載の空気調和機。
【請求項５】
前記ヒータの制御が有効化されているとき、前記ヒータ運転制御部は、前記室内温度が前記設定温度よりも低い場合に前記ヒータの運転をＯＮし、前記室内温度が前記設定温度よりも高い場合に前記ヒータの運転をＯＦＦする
ことを特徴とする請求項１から４のいずれか一項に記載の空気調和機。
【請求項６】
前記ヒータ運転制御部は、前記ヒータと電源との間に介在するリレーを開閉することによって、前記ヒータの運転をＯＮ／ＯＦＦ制御し、
前記ヒータ運転制御部は、前記ヒータの運転のＯＮ／ＯＦＦを切り換えた後一定時間、前記ヒータの運転のＯＮ／ＯＦＦ切り換えを禁止する
ことを特徴とする請求項１から５のいずれか一項に記載の空気調和機。
【請求項７】
前記ヒータ運転制御部は、前記ヒータの運転のＯＮ／ＯＦＦに連動させてサーキュレータをＯＮ／ＯＦＦ制御する
ことを特徴とする請求項１から６のいずれか一項に記載の空気調和機。
【請求項８】
空気調和機の制御プログラムであって、
前記空気調和機は、
室内機と、
外気温度を検出する室外機と、
前記室内機に搭載され、前記室内機と共に室内のヒータの運転制御を行うコンピュータと
を備え、
前記制御プログラムは、
第１閾値及び第２閾値を示す閾値データを記憶する記憶部から前記閾値データを読み出すステップと、
前記外気温度が前記第１閾値以下の場合に前記ヒータの制御を有効化するステップと、
前記外気温度が前記第２閾値以上の場合に前記ヒータの制御を無効化するステップと、
前記ヒータの制御が無効化されている場合、前記ヒータの運転を常時ＯＦＦするステップと、
前記ヒータの制御が有効化されている場合、室内温度と設定温度との関係に基づいて、前記ヒータの運転をＯＮ／ＯＦＦ制御するステップと、
ユーザによって入力される、前記第１閾値及び前記第２閾値の少なくとも一方を指定する閾値指定信号を受け取るステップと、
前記受け取った閾値指定信号による指定に基づいて、前記記憶部に記憶される前記閾値データを設定するステップと
を前記コンピュータに実行させることを特徴とする
制御プログラム。
【発明の詳細な説明】
【技術分野】
【０００１】
本発明は、空気調和機及びその制御プログラムに関する。
【背景技術】
【０００２】
特許文献１は、室内ユニットと共に電気ヒータを備え、その電気ヒータの運転制御も行う空気調和機を開示している。この空気調和機は、負荷容量値及び外気温度を、あらかじめ定められたヒータ停止条件と比較する。負荷容量値及び外気温度があらかじめ定められたヒータ停止条件を満たす場合、空気調和機は、室内温度にかかわらず、電気ヒータを停止させる。
【先行技術文献】
【特許文献】
【０００３】
【特許文献１】特開昭６２−１６２８４０号公報
【発明の概要】
【発明が解決しようとする課題】
【０００４】
特許文献１では、電気ヒータを停止させるためのヒータ停止条件が固定されている。従って、地域や環境に依っては、室内ユニットの暖房能力だけで要求を満たすことができる場合であっても、電気ヒータが無駄にＯＮになる可能性がある。このことは、省エネの観点から好ましくない。
【０００５】
本発明の１つの目的は、ヒータの運転制御を行う空気調和機に関して、更なる省エネを実現可能な技術を提供することにある。
【課題を解決するための手段】
【０００６】
本発明の１つの観点において、空気調和機が提供される。その空気調和機は、室内機と、外気温度を検出する室外機と、室内機に搭載され、室内機と共に室内のヒータの運転制御を行う制御装置と、を備える。制御装置は、記憶部と、ヒータ制御判定部と、ヒータ運転制御部と、受信部と、閾値設定部と、を備える。記憶部は、第１閾値及び第２閾値を示す閾値データを記憶する。ヒータ制御判定部は、記憶部から閾値データを読みだし、外気温度が第１閾値以下の場合にヒータの制御を有効化し、外気温度が第２閾値以上の場合にヒータの制御を無効化する。ヒータ運転制御部は、ヒータの制御が無効化されている場合、ヒータの運転を常時ＯＦＦし、ヒータの制御が有効化されている場合、室内温度と設定温度との関係に基づいてヒータの運転をＯＮ／ＯＦＦ制御する。受信部は、ユーザによって入力される、第１閾値及び第２閾値の少なくとも一方を指定する閾値指定信号を受け取る。閾値設定部は、受け取った閾値指定信号による指定に基づいて、記憶部に記憶される閾値データを設定する。
【０００７】
本発明の他の観点において、空気調和機の制御プログラムが提供される。空気調和機は、室内機と、外気温度を検出する室外機と、室内機に搭載され、室内機と共に室内のヒータの運転制御を行うコンピュータと、を備える。制御プログラムは、次のステップをコンピュータに実行させる：第１閾値及び第２閾値を示す閾値データを記憶する記憶部からその閾値データを読み出すステップ；外気温度が第１閾値以下の場合にヒータの制御を有効化するステップ；外気温度が第２閾値以上の場合にヒータの制御を無効化するステップ；ヒータの制御が無効化されている場合、ヒータの運転を常時ＯＦＦするステップ；ヒータの制御が有効化されている場合、室内温度と設定温度との関係に基づいて、ヒータの運転をＯＮ／ＯＦＦ制御するステップ；ユーザによって入力される、第１閾値及び第２閾値の少なくとも一方を指定する閾値指定信号を受け取るステップ；及び、受け取った閾値指定信号による指定に基づいて、記憶部に記憶される閾値データを設定するステップ。
【発明の効果】
【０００８】
本発明によれば、ヒータの運転制御を行う空気調和機に関して、更なる省エネを実現可能である。
【図面の簡単な説明】
【０００９】
【図１】図１は、本発明の実施の形態１の概要を示すブロック図である。
【図２】図２は、本発明の実施の形態１に係る空気調和機におけるヒータ制御の有効化／無効化を説明するための概念図である。
【図３】図３は、本発明の実施の形態１に係る空気調和機におけるヒータ運転のＯＮ／ＯＦＦ制御を説明するための概念図である。
【図４】図４は、本発明の実施の形態１に係る空気調和機の室内機の構成例を示すブロック図である。
【図５】図５は、本発明の実施の形態１に係る空気調和機の機能構成例を示すブロック図である。
【図６】図６は、本発明の実施の形態１に係る空気調和機による処理フローを示すフローチャートである。
【図７】図７は、本発明の実施の形態１に係る空気調和機による処理フローを示すフローチャートである。
【図８】図８は、本発明の実施の形態１に係る空気調和機による処理フローを示すフローチャートである。
【図９】図９は、本発明の実施の形態２に係る空気調和機の機能構成例を示すブロック図である。
【図１０】図１０は、本発明の実施の形態２に係る空気調和機による処理フローを示すフローチャートである。
【図１１】図１１は、本発明の実施の形態３に係る空気調和機の機能構成例を示すブロック図である。
【発明を実施するための形態】
【００１０】
添付図面を参照して、本発明の実施の形態に係る空気調和機を説明する。
【００１１】
実施の形態１．
＜概要＞
図１は、本発明の実施の形態１の概要を示すブロック図である。空気調和機１は、室内に設置される室内機１０、及び室外に設置される室外機２０を備えている。室内には更に、ヒータ３０が配置される。このヒータ３０は、暖房運転時の補助熱源として使用される。典型的には、ヒータ３０は電気ヒータである。尚、ヒータ３０は、空気調和機１の構成要素であってもよいし、そうでなくてもよい。
【００１２】
本実施の形態に係る空気調和機１は、室内機１０と室外機２０に加えてヒータ３０の運転制御も行う機能を備えている。より詳細には、室内機１０（後述される室内機１０の制御装置）が、ヒータ３０の運転制御を行う機能を備えている。尚、ヒータ３０の運転制御が行われるのは、基本的に、暖房運転時である。以下の説明では、特に断りがない限り、空気調和機１は暖房運転を行っているとする。
【００１３】
ヒータ３０の運転制御には、（Ａ）ヒータ３０の制御を有効化するか無効化するかの判断、及び（Ｂ）ヒータ３０の運転のＯＮ／ＯＦＦ制御、が含まれる。
【００１４】
前者の（Ａ）ヒータ３０の制御を有効化するか無効化するかの判断は、外気温度ＸＥに基づいて行われる。外気温度ＸＥは室外機２０によって検出され、検出された外気温度ＸＥを示す外気温度データＤＥが、室外機２０から室内機１０に送られる。また、室内機１０は、第１閾値Ｘ１及び第２閾値Ｘ２を示す閾値データＤＴを保持している。これら第１閾値Ｘ１及び第２閾値Ｘ２は、ヒータ３０の制御を有効化するか無効化するかの判断に用いられる基準である。
【００１５】
より詳細には、図２に示されるように、外気温度ＸＥが第１閾値Ｘ１以下になると、室内機１０は、ヒータ３０の制御を有効化する。一方、外気温度ＸＥが第２閾値Ｘ２以上になると、室内機１０は、ヒータ３０の制御を無効化する。尚、第１閾値Ｘ１と第２閾値Ｘ２が等しい場合（Ｘ１＝Ｘ２）、外気温度ＸＥの擾乱により、有効化と無効化との間の切り換えが短時間の間に繰り返し発生する恐れがある。安定した制御の観点から言えば、図２に示されるような、第１閾値Ｘ１が第２閾値Ｘ２よりも低いヒステリシス特性が好ましい（Ｘ１＜Ｘ２）。但し、本実施の形態は、第１閾値Ｘ１と第２閾値Ｘ２が等しい場合を排除しない。
【００１６】
次に、図３を参照して、後者の（Ｂ）ヒータ３０の運転のＯＮ／ＯＦＦ制御について説明する。ヒータ３０の制御が無効化されている場合、室内機１０は、ヒータ３０の運転を常時ＯＦＦする。一方、ヒータ３０の制御が有効化されている場合、室内機１０は、ヒータ３０の運転をＯＮ／ＯＦＦ制御する。
【００１７】
より詳細には、室内機１０は、室内温度ＸＩと設定温度との関係に基づいて、ヒータ３０の運転をＯＮ／ＯＦＦ制御する。例えば、室内温度ＸＩが設定温度よりも低い場合、室内機１０は、ヒータ３０の運転をＯＮする。一方、室内温度ＸＩが設定温度よりも高い場合、室内機１０は、ヒータ３０の運転をＯＦＦする。
【００１８】
再度図１を参照して、本実施の形態によれば、閾値データＤＴ、すなわち、第１閾値Ｘ１及び第２閾値Ｘ２は可変に設定可能である。より詳細には、ユーザから室内機１０に、第１閾値Ｘ１及び第２閾値Ｘ２の少なくとも一方を指定する閾値指定信号ＳＴが入力される。典型的には、ユーザは、ワイヤレスリモコンを操作し、閾値指定信号ＳＴを室内機１０に送信する。但し、閾値指定信号ＳＴの入力方法は、ワイヤレスリモコンによる送信に限られない。そして、室内機１０は、受け取った閾値指定信号ＳＴによる指定に基づいて、閾値データＤＴの内容を設定（更新）する。
【００１９】
このように、本実施の形態によれば、ヒータ３０の制御を有効化するか無効化するかの判断の基準となる閾値データＤＴは可変である。つまり、空気調和機１が設置される地域や環境に応じて、閾値データＤＴを自由に設定することが可能である。従って、室内機１０の暖房能力だけで要求を満たすことができるにもかかわらずヒータ３０が無駄にＯＮする、といった事態を未然に防ぐことが可能となる。すなわち、本実施の形態によれば、更なる省エネを実現可能である。
【００２０】
＜室内機１０の構成例＞
図４は、本実施の形態に係る室内機１０の構成例を示すブロック図である。室内機１０は、暖房ユニット１５と制御装置１００を備えている。暖房ユニット１５は、室内機１０の暖房運転を担うユニットである。制御装置１００（コンピュータ）は、暖房ユニット１５（つまり、室内機１０）の運転制御だけでなく、ヒータ３０の運転制御も行う。この制御装置１００は、記憶装置１０１、受信装置１０２、通信装置１０３、出力装置１０４、及び処理装置１０５を備えている。
【００２１】
記憶装置１０１は、ＨＤＤ、ＲＡＭ、不揮発性メモリ、レジスタ等を含む。この記憶装置１０１には、設定データＣＯＮＦ、センサデータＳＥＮを含む各種データが格納される。
【００２２】
設定データＣＯＮＦは、第１閾値Ｘ１及び第２閾値Ｘ２を示す閾値データＤＴ、及び設定温度ＸＳを示す設定温度データＤＳを含む。これら閾値データＤＴ及び設定温度データＤＳは、ユーザによって可変に設定可能である。よって、例えば、設定データＣＯＮＦは、書き換え可能な不揮発性メモリに格納される。
【００２３】
センサデータＳＥＮは、外気温度ＸＥを示す外気温度データＤＥ、及び室内温度ＸＩを示す室内温度データＤＩを含む。これら外気温度データＤＥや室内温度データＤＩは、センサによって生成され、制御装置１００に送られる。センサデータＳＥＮは、例えば、ＲＡＭやレジスタに格納される。
【００２４】
受信装置１０２は、ユーザによって入力される設定信号を受信する。設定信号としては、閾値データＤＴを設定するための上述の閾値指定信号ＳＴや、設定温度データＤＳを設定するための設定温度指定信号が挙げられる。典型的には、設定信号は、ユーザによってワイヤレスリモコンから送信される。
【００２５】
通信装置１０３は、室外機２０との間のデータ通信を行う。例えば、通信装置１０３は、室外機２０によって検出された外気温度ＸＥを示す外気温度データＤＥを受け取る。
【００２６】
出力装置１０４は、表示装置やスピーカを含み、ユーザに対して各種通知を行う。
【００２７】
処理装置１０５は、各装置の制御及び各種データの演算処理を行う。特に、処理装置１０５は、制御プログラムＰＲＯＧを実行することにより、以下に説明されるヒータ３０の運転制御を行う。尚、制御プログラムＰＲＯＧは、コンピュータ読み取り可能な記録媒体に記録されていてもよい。
【００２８】
＜ヒータ３０の運転制御＞
図５は、ヒータ３０の運転制御に関連する機能構成（機能ブロック）を示している。室内機１０（制御装置１００）は、記憶部１１０、受信部１２０、受信信号判定部１３０、閾値設定部１４０、通信部１５０、ヒータ制御判定部１６０、及びヒータ運転制御部１７０を備えている。
【００２９】
記憶部１１０は、閾値データＤＴ、設定温度データＤＳ、外気温度データＤＥ、及び室内温度データＤＩを記憶する。この記憶部１１０は、記憶装置１０１により実現される。受信部１２０は、受信装置１０２により実現される。通信部１５０は、通信装置１０３により実現される。受信信号判定部１３０、閾値設定部１４０、ヒータ制御判定部１６０、及びヒータ運転制御部１７０は、処理装置１０５が制御プログラムＰＲＯＧを実行することにより実現される。
【００３０】
まず、図６を参照して、閾値データＤＴの設定フローの一例を説明する。
【００３１】
ステップＳ１：
受信部１２０は、ユーザによって入力される設定信号を受け取る。設定信号としては、閾値データＤＴを設定するための閾値指定信号ＳＴや、設定温度データＤＳを設定するための設定温度指定信号が挙げられる。
【００３２】
ステップＳ２：
受信信号判定部１３０は、受信部１２０が受け取った設定信号が閾値指定信号ＳＴか否かを判定する。
【００３３】
ステップＳ３：
受け取った設定信号が設定温度指定信号である場合（ステップＳ２；Ｎｏ）、その設定温度指定信号に従って、設定温度データＤＳ（つまり設定温度ＸＳ）が設定される。
【００３４】
ステップＳ４：
受け取った設定信号が閾値指定信号ＳＴである場合（ステップＳ２；Ｙｅｓ）、その閾値指定信号ＳＴは、第１閾値Ｘ１及び第２閾値Ｘ２の少なくとも一方を指定している。ここで、閾値設定部１４０は、その閾値指定信号ＳＴの指定内容をチェックする。具体的には、閾値設定部１４０は、閾値指定信号ＳＴの指定に従って閾値データＤＴを更新した場合に「Ｘ１＜Ｘ２」という関係が満たされるか否かをチェックする。
【００３５】
ステップＳ５：
「Ｘ１＜Ｘ２」という関係が満たされる場合（ステップＳ４；Ｙｅｓ）、閾値設定部１４０は、閾値指定信号ＳＴによる指定に基づいて、記憶部１１０に記憶される閾値データＤＴを設定（更新）する。
【００３６】
ステップＳ６：
一方、「Ｘ１＜Ｘ２」という関係が満たされない場合、すなわち、第１閾値Ｘ１が第２閾値Ｘ２以上となってしまう場合（ステップＳ４；Ｎｏ）、閾値設定部１４０は補正処理を行う。具体的には、閾値設定部１４０は、「Ｘ１＜Ｘ２」という関係が満たされるように指定を補正する。例えば、閾値設定部１４０は、第１閾値Ｘ１の方を、「Ｘ１＝Ｘ２−α（α：正の数）」という関係式に従って補正する。その後、処理はステップＳ５に進む。この場合、閾値設定部１４０は、補正後の指定に従って、記憶部１１０に記憶される閾値データＤＴを設定（更新）することになる。このような補正処理によって、誤設定を自動的に回避することが可能となる。
【００３７】
尚、ステップＳ６において、補正処理の代わりに、あるいは、補正処理と共に、閾値設定部１４０は、出力装置１０４を用いてアラームを出力してもよい。アラームとしては、表示装置へのエラー表示や、ブザーの鳴動が挙げられる。これにより、ユーザに再設定を促すことが可能となる。
【００３８】
次に、図７及び図８を参照して、ヒータ３０の運転制御の一例を説明する。
【００３９】
ステップＳ１０：
室外機２０の外気温度取得部２１０は、外気温度ＸＥを検出し、検出した外気温度ＸＥを示す外気温度データＤＥを生成する。室外機２０の通信部２２０は、外気温度データＤＥを室内機１０に送信する。室内機１０の通信部１５０は、室外機２０から外気温度データＤＥを受信する。その外気温度データＤＥは、記憶部１１０に格納される。
【００４０】
ステップＳ１１：
ヒータ制御判定部１６０は、記憶部１１０から、閾値データＤＴ及び外気温度データＤＥを読みだす。そして、ヒータ制御判定部１６０は、第１閾値Ｘ１及び第２閾値Ｘ２と外気温度ＸＥとを比較する。
【００４１】
ステップＳ１３：
外気温度ＸＥが第１閾値Ｘ１以下である場合（ステップＳ１２；Ｙｅｓ）、ヒータ制御判定部１６０は、ヒータ３０の制御を有効化する。その後、処理は、ステップＳ２０に進む。
【００４２】
ステップＳ１５：
外気温度ＸＥが第２閾値Ｘ２以上である場合（ステップＳ１２；Ｎｏ、ステップＳ１４；Ｙｅｓ）、ヒータ制御判定部１６０は、ヒータ３０の制御を無効化する。その後、処理は、ステップＳ２０に進む。
【００４３】
ステップＳ１６：
外気温度ＸＥが第１閾値Ｘ１より高く、第２閾値Ｘ２より低い場合（ステップＳ１２；Ｎｏ、ステップＳ１４；Ｎｏ）、ヒータ制御判定部１６０は、現在の制御状態を維持する。その後、処理は、ステップＳ２０に進む。
【００４４】
ステップＳ２０：
ヒータ運転制御部１７０は、ヒータ３０の制御が有効化されているか無効化されているかチェックする。
【００４５】
ステップＳ２１：
ヒータ３０の制御が有効化されている場合（ステップＳ２０；Ｙｅｓ）、ヒータ運転制御部１７０は、記憶部１１０から室内温度データＤＩ及び設定温度データＤＳを読みだす。そして、ヒータ運転制御部１７０は、室内温度ＸＩと設定温度ＸＳとを比較する。
【００４６】
ステップＳ２２：
室内温度ＸＩが設定温度ＸＳよりも低い場合（ステップＳ２１；Ｙｅｓ）、ヒータ運転制御部１７０は、ヒータ３０の運転をＯＮする。その後、処理はステップＳ２４に進む。
【００４７】
ステップＳ２３：
一方、室内温度ＸＩが設定温度ＸＳよりも高い場合（ステップＳ２１；Ｎｏ）、ヒータ運転制御部１７０は、ヒータ３０の運転をＯＦＦする。また、ヒータ３０の制御が無効化されている場合（ステップＳ２０；Ｎｏ）も、ヒータ運転制御部１７０は、ヒータ３０の運転をＯＦＦする。その後、処理はステップＳ２４に進む。
【００４８】
ステップＳ２４：
外気温度ＸＥの取得は、例えば、定期的に実施される。外気温度ＸＥの取得タイミングになると（ステップＳ２４；Ｙｅｓ）、処理はステップＳ１０に戻る。それ以外の場合（ステップＳ２４；Ｎｏ）、処理はステップＳ２０に戻る。外気温度ＸＥが更新されるたびに、上述の処理が実行される。
【００４９】
＜効果＞
以上に説明されたように、本実施の形態によれば、ヒータ３０の制御を有効化するか無効化するかの判断の基準となる閾値データＤＴは可変である。つまり、空気調和機１が設置される地域や環境に応じて、閾値データＤＴを自由に設定することが可能である。従って、室内機１０の暖房能力だけで要求を満たすことができるにもかかわらずヒータ３０が無駄にＯＮする、といった事態を未然に防ぐことが可能となる。すなわち、本実施の形態によれば、更なる省エネを実現可能である。
【００５０】
実施の形態２．
図９は、本発明の実施の形態２に係る空気調和機１の機能構成例を示すブロック図である。実施の形態１と重複する説明は適宜省略する。
【００５１】
本実施の形態では、ヒータ３０と電源４０との間にリレー５０が介在している。ヒータ運転制御部１７０は、そのリレー５０を開閉することによって、ヒータ３０の運転をＯＮ／ＯＦＦ制御する。ここで、リレー５０の高頻度な開閉は、溶着の原因となる。よって、本実施の形態では、ヒータ運転制御部１７０は、リレー５０の開閉状態を切り換えた後一定期間、次の切り換えを禁止する。すなわち、ヒータ運転制御部１７０は、ヒータ３０の運転のＯＮ／ＯＦＦを切り換えた後一定期間、ヒータ３０の運転のＯＮ／ＯＦＦ切り換えを禁止する。
【００５２】
図１０は、本実施の形態におけるヒータ運転制御部１７０の動作を示すフローチャートであり、既出の図８に対応している。図８と比較して、ステップＳ２２あるいはＳ２３とステップＳ２４との間に、ステップＳ３０、Ｓ３１が追加されている。
【００５３】
ステップＳ３０において、ヒータ運転制御部１７０は、前のステップＳ２２あるいはＳ２３においてヒータ３０のＯＮ／ＯＦＦ切り換えが発生したか否かチェックする。ＯＮ／ＯＦＦ切り換えがなかった場合（ステップＳ３０；Ｎｏ）、処理はステップＳ２４に進む。一方、ＯＮ／ＯＦＦ切り換えがあった場合（ステップＳ３０；Ｙｅｓ）、ヒータ運転制御部１７０は、ヒータ３０のＯＮ／ＯＦＦ切り換えを一定期間禁止する。例えば、ヒータ運転制御部１７０は、制御フローを一定期間停止させる。
【００５４】
本実施の形態によれば、実施の形態１の場合と同じ効果に加え、リレー５０の溶着が防止されるという効果が得られる。その結果、製品の品質が向上する。
【００５５】
実施の形態３．
図１１は、本発明の実施の形態３に係る空気調和機１の機能構成例を示すブロック図である。実施の形態１と重複する説明は適宜省略する。
【００５６】
本実施の形態では、ヒータ３０と共にサーキュレータ６０が設けられる。ヒータ運転制御部１７０は、ヒータ３０の運転のＯＮ／ＯＦＦに連動させて、サーキュレータ６０もＯＮ／ＯＦＦ制御する。ヒータ３０とサーキュレータ６０が連動することにより、暖気を拡散することができ、快適性が向上する。
【００５７】
本実施の形態によれば、実施の形態１の場合と同じ効果に加え、快適性が向上するという効果が得られる。尚、実施の形態２と実施の形態３の組み合わせも可能である。
【００５８】
以上、本発明の実施の形態が添付の図面を参照することにより説明された。但し、本発明は、上述の実施の形態に限定されず、要旨を逸脱しない範囲で当業者により適宜変更され得る。
【符号の説明】
【００５９】
１  空気調和機、１０  室内機、１５  暖房ユニット、２０  室外機、３０  ヒータ、４０  電源、５０  リレー、６０  サーキュレータ、１００  制御装置、１０１  記憶装置、１０２  受信装置、１０３  通信装置、１０４  出力装置、１０５  処理装置、１１０  記憶部、１２０  受信部、１３０  受信信号判定部、１４０  閾値設定部、１５０  通信部、１６０  ヒータ制御判定部、１７０  ヒータ運転制御部、２１０  外気温度取得部、２２０  通信部、ＣＯＮＦ  設定データ、ＤＥ  外気温度データ、ＤＩ  室内温度データ、ＤＳ  設定温度データ、ＤＴ  閾値データ、ＰＲＯＧ  制御プログラム、ＳＥＮ  センサデータ、ＳＴ  閾値指定信号、Ｘ１  第１閾値、Ｘ２  第２閾値、ＸＥ  外気温度、ＸＩ  室内温度、ＸＳ  設定温度。
【図１】
2015152217.tif 000003
【図２】
2015152217.tif 000004
【図３】
2015152217.tif 000005
【図４】
2015152217.tif 000006
【図５】
2015152217.tif 000007
【図６】
2015152217.tif 000008
【図７】
2015152217.tif 000009
【図８】
2015152217.tif 000010
【図９】
2015152217.tif 000011
【図１０】
2015152217.tif 000012
【図１１】
2015152217.tif 000013